(57)【要約】【課題】  動画の内容把握は簡単になるものの、構図や合焦等といった撮影画像の確認は優先的に行われない。【解決手段】  動画の撮影時に被写体像の被写界深度が所定量変化した時のタイミングを記憶し（Ｓ１０５）、その記憶されたタイミングに基づいて、撮像素子から連続的に出力される画像信号をメモリに動画として所定時間記憶する（Ｓ１０７）。そして、動画の撮影後に、そのメモリに記憶された画像信号を読み出して動画として表示する。【選択図】  図４
2010109941.tif 000002
【特許請求の範囲】
【請求項１】
被写体像を撮像素子により画像信号に変換して撮像する撮像装置であって、
前記画像信号を蓄積するためのメモリと、
動画の撮影時に被写体像の被写界深度が所定量変化した時のタイミングを記憶するタイミング記憶手段と、
前記タイミング記憶手段によって記憶されたタイミングに基づいて、前記撮像素子から連続的に出力される画像信号を前記メモリに動画として所定時間記憶するレックレビュー記憶手段と、
前記動画の撮影後に前記メモリに記憶された画像信号を読み出して動画として表示する表示手段と、
を有することを特徴とする撮像装置。
【請求項２】
被写体像を撮像素子により画像信号に変換して撮像する撮像装置であって、
前記画像信号を蓄積するためのメモリと、
被写体像の被写界深度が所定量以下の状況で特定のタイミングを記憶するタイミング記憶手段と、
前記タイミング記憶手段によって記憶されたタイミングに基づいて、前記撮像素子から連続的に出力される画像信号を前記メモリに動画として所定時間記憶するレックレビュー記憶手段と、
前記動画の撮影後に前記メモリに記憶された画像信号を読み出して動画として表示する表示手段と、
を有することを特徴とする撮像装置。
【請求項３】
前記タイミング記憶手段は、撮影レンズの絞り駆動手段の駆動結果を検知して、被写体像の被写界深度の変化するタイミングを記憶することを特徴とする請求項１に記載の撮像装置。
【請求項４】
前記タイミング記憶手段は、被写体像の被写界深度が所定量以下の状況で、合焦位置が変化したタイミングを記憶することを特徴とする請求項２に記載の撮像装置。
【請求項５】
前記タイミング記憶手段は、被写体像の被写界深度が所定量以下の状況で、被写体が移動したタイミングを記憶することを特徴とする請求項２に記載の撮像装置。
【請求項６】
前記レックレビュー記憶手段は、前記画像信号を記憶するのに前記メモリの残容量が不足しているか否かを判定する判定手段を有し、
前記判定手段により前記残容量が不足していると判定されると、最先に格納された画像信号を前記メモリから消去することを特徴とする請求項１乃至５のいずれか１項に記載の撮像装置。
【請求項７】
前記レックレビュー記憶手段は、前記画像信号を記憶するのに前記メモリの残容量が不足しているか否かを判定する判定手段を有し、
前記判定手段により前記残容量が不足していると判定されると、前記メモリに記憶されている画像信号の内、被写界深度の深い画像信号を削除することを特徴とする請求項１乃至５のいずれか１項に記載の撮像装置。
【請求項８】
前記表示手段は、前記タイミング記憶手段によって記憶されたタイミングに基づいて記憶された動画を表示する際に、撮影時の合焦位置を識別可能に表示することを特徴とする請求項１乃至７のいずれか１項に記載の撮像装置。
【請求項９】
被写体像を撮像素子により画像信号に変換して撮像する撮像装置の制御方法であって、
動画の撮影時に被写体像の被写界深度が所定量変化した時のタイミングを記憶するタイミング記憶工程と、
前記タイミング記憶工程によって記憶されたタイミングに基づいて、前記撮像素子から連続的に出力される画像信号をメモリに動画として所定時間記憶するレックレビュー記憶工程と、
前記動画の撮影後に前記メモリに記憶された画像信号を読み出して動画として表示する表示工程と、
を有することを特徴とする撮像装置の制御方法。
【請求項１０】
被写体像を撮像素子により画像信号に変換して撮像する撮像装置の制御方法であって、
被写体像の被写界深度が所定量以下の状況で特定のタイミングを記憶するタイミング記憶工程と、
前記タイミング記憶工程によって記憶されたタイミングに基づいて、前記撮像素子から連続的に出力される画像信号をメモリに動画として所定時間記憶するレックレビュー記憶工程と、
前記動画の撮影後に前記メモリに記憶された画像信号を読み出して動画として表示する表示工程と、
を有することを特徴とする撮像装置の制御方法。
【請求項１１】
前記タイミング記憶工程は、撮影レンズの絞り駆動の駆動結果を検知して、被写体像の被写界深度の変化するタイミングを記憶することを特徴とする請求項９に記載の撮像装置の制御方法。
【請求項１２】
前記タイミング記憶工程は、被写体像の被写界深度が所定量以下の状況で、合焦位置が変化したタイミングを記憶することを特徴とする請求項１０に記載の撮像装置の制御方法。
【請求項１３】
前記タイミング記憶工程は、被写体像の被写界深度が所定量以下の状況で、被写体が移動したタイミングを記憶することを特徴とする請求項１０に記載の撮像装置の制御方法。
【請求項１４】
前記レックレビュー記憶工程は、前記画像信号を記憶するのに前記メモリの残容量が不足しているか否かを判定する判定工程を有し、
前記判定工程により前記残容量が不足していると判定されると、最先に格納された画像信号を前記メモリから消去することを特徴とする請求項９乃至１３のいずれか１項に記載の撮像装置の制御方法。
【請求項１５】
前記レックレビュー記憶工程は、前記画像信号を記憶するのに前記メモリの残容量が不足しているか否かを判定する判定工程を有し、
前記判定工程により前記残容量が不足していると判定されると、前記メモリに記憶されている画像信号の内、被写界深度の深い画像信号を削除することを特徴とする請求項９乃至１３のいずれか１項に記載の撮像装置の制御方法。
【請求項１６】
前記表示工程は、前記タイミング記憶工程によって記憶されたタイミングに基づいて記憶された動画を表示する際に、撮影時の合焦位置を識別可能に表示することを特徴とする請求項９乃至１５のいずれか１項に記載の撮像装置の制御方法。
【発明の詳細な説明】
【技術分野】
【０００１】
本発明は、撮像装置による動画撮影後の確認再生画像を表示装置にて表示する撮像装置及びその制御方法に関するものである。
【背景技術】
【０００２】
近年、デジタルカメラやデジタルビデオカメラ等のようにＣＣＤ等の撮像素子を用い、撮影した画像を電子データで記録する撮像装置が数多く市場に出回るようになってきている。このデジタルカメラでは、従来記録媒体として使用していた感光フィルムが不要になり、これに代わって半導体メモリカードやハードディスク装置等のデータ記録媒体に、その電子データを記録している。これらデータ記憶媒体はフィルムと違って何度でも書き込みや消去が可能であるので、消耗品に掛かる経費が少なくて済むため大変便利である。
【０００３】
通常、デジタルカメラには、撮影画像を表示可能な液晶表示装置と、着脱可能な大容量記憶装置が搭載されている。この液晶表示装置にはドットマトリクス液晶が用いられており、高精細な画像を表示可能としている。
【０００４】
これら液晶表示装置と大容量記憶装置との２つの装置を備えたデジタルカメラを利用すると、従来のフィルムが不要になるばかりでなく、撮影した画像を液晶表示装置に表示して、その場で直ちに確認できる。従って、満足の得られない画像データはその場で消去したり、また必要に応じて再撮影したりすることが撮影現場でも可能となり、フィルムを用いる銀塩写真と比較すると、写真撮影の効率が飛躍的に高まったと言える。このような利便性と、撮像素子の高画素化等の技術革新により、デジタルカメラの利用範囲は拡大しており、近年では一眼レフ方式等のレンズ交換が可能なデジタルカメラも多くなってきている。更に上述のデジタルカメラには動画を撮影可能なものがあり、動画撮影の際には、撮影直後に、その撮影した動画を液晶表示装置に表示して確認することができる。
【０００５】
特許文献１では、液晶表示装置を有するビデオカメラ等で、撮影した動画の内容を短時間で簡単に把握するために、撮影した動画のダイジェストを表示する表示方法と、ダイジェストを作成するための撮影動画の選択、及び抜粋方法が記載されている。この技術により、ユーザの撮影意図を反映したダイジェストを確認することができ、これを撮影直後に表示させることで、ユーザは撮影した動画の撮影内容を、より短時間で簡単に確認できる。
【特許文献１】特開平０６−１６５００９号公報
【発明の開示】
【発明が解決しようとする課題】
【０００６】
しかしながら、この特許文献１の技術は、動画の撮影時に操作された操作部材の操作履歴からダイジェストで使用する動画を選択或は抜粋している。このため、動画の内容把握は簡単になるものの、構図や合焦等といった撮影画像の確認は優先的に行われない。
【０００７】
特にデジタル一眼レフでは、設定によってビデオカメラより被写界深度が浅くなる場面が多くなるため、ユーザが撮影した動画の合焦位置を確認する頻度は高くなると予想される。
【０００８】
本発明は、このような従来技術の問題点を解決することを目的としてなされたものである。
【０００９】
本願発明の特徴は、動画が撮影可能に構成された撮像装置において、動画撮影後に合焦位置の確認が容易に行えるような撮像装置を提供することを目的とする。
【課題を解決するための手段】
【００１０】
上記目的を達成するために本発明の一態様に係る撮像装置は以下のような構成を備える。即ち、
被写体像を撮像素子により画像信号に変換して撮像する撮像装置であって、
前記画像信号を蓄積するためのメモリと、
動画の撮影時に被写体像の被写界深度が所定量変化した時のタイミングを記憶するタイミング記憶手段と、
前記タイミング記憶手段によって記憶されたタイミングに基づいて、前記撮像素子から連続的に出力される画像信号を前記メモリに動画として所定時間記憶するレックレビュー記憶手段と、
前記動画の撮影後に前記メモリに記憶された画像信号を読み出して動画として表示する表示手段とを有することを特徴とする。
【００１１】
上記目的を達成するために本発明の一態様に係る撮像装置は以下のような構成を備える。即ち、
被写体像を撮像素子により画像信号に変換して撮像する撮像装置であって、
前記画像信号を蓄積するためのメモリと、
被写体像の被写界深度が所定量以下の状況で特定のタイミングを記憶するタイミング記憶手段と、
前記タイミング記憶手段によって記憶されたタイミングに基づいて、前記撮像素子から連続的に出力される画像信号を前記メモリに動画として所定時間記憶するレックレビュー記憶手段と、
前記動画の撮影後に前記メモリに記憶された画像信号を読み出して動画として表示する表示手段とを有することを特徴とする。
【００１２】
上記目的を達成するために本発明の一態様に係る撮像装置の制御方法は以下のような工程を備える。即ち、
被写体像を撮像素子により画像信号に変換して撮像する撮像装置の制御方法であって、
動画の撮影時に被写体像の被写界深度が所定量変化した時のタイミングを記憶するタイミング記憶工程と、
前記タイミング記憶工程によって記憶されたタイミングに基づいて、前記撮像素子から連続的に出力される画像信号をメモリに動画として所定時間記憶するレックレビュー記憶工程と、
前記動画の撮影後に前記メモリに記憶された画像信号を読み出して動画として表示する表示工程とを有することを特徴とする。
【００１３】
上記目的を達成するために本発明の一態様に係る撮像装置の制御方法は以下のような工程を備える。即ち、
被写体像を撮像素子により画像信号に変換して撮像する撮像装置の制御方法であって、
被写体像の被写界深度が所定量以下の状況で特定のタイミングを記憶するタイミング記憶工程と、
前記タイミング記憶工程によって記憶されたタイミングに基づいて、前記撮像素子から連続的に出力される画像信号をメモリに動画として所定時間記憶するレックレビュー記憶工程と、
前記動画の撮影後に前記メモリに記憶された画像信号を読み出して動画として表示する表示工程とを有することを特徴とする。
【発明の効果】
【００１４】
本発明によれば、動画撮影後の確認再生表示において、被写界深度の浅い画像を優先的に表示するようにしたので、ユーザは動画撮影時の合焦を確認しやすくなった。
【００１５】
また被写界深度の浅い画像を確認再生表示する際には、撮影画像と共に合焦位置も表示するようにしたので、ユーザは動画撮影時の合焦位置を確認しやすくなった。
【発明を実施するための最良の形態】
【００１６】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１７】
図１及び図２は、本発明の実施形態に係るデジタル一眼レフカメラ（以下、単にカメラと呼ぶ）の外観を示す図である。具体的には、図１はカメラの前面側より見た斜視図であって、撮影レンズユニットを外した状態を示し、図２はカメラの背面側より見た斜視図である。
【００１８】
図１において、１はカメラ本体を示し、撮影時に使用者がカメラを安定して握り易いように前方に突出したグリップ部１ａが設けられている。マウント部２は、着脱可能な撮影レンズユニット（不図示）をカメラ本体に固定させる。マウント接点２１は、カメラ本体１と撮影レンズユニットとの間で制御信号、状態信号、データ信号等を伝達するとともに、撮影レンズユニット側に電力を供給する機能を有する。また、マウント接点２１は電気通信のみならず、光通信、音声通信等を可能なように構成してもよい。マイク２４は、このデジタル一眼レフを用いて動画撮影を行う際に、音声を録音する機能を有する。
【００１９】
レンズロック解除釦４は、撮影レンズユニットが装着された状態を維持するロックを解除して撮影レンズユニットを取り外し可能にする。ミラーボックス５は、カメラ本体１内に配置され、撮影レンズを通過した撮影光束はここへ導かれる。このミラーボックス５の内部には、クイックリターンミラー６が配設されている。このクイックリターンミラー６は、撮影光束をペンタプリズム２２（図３）の方向へ導くために撮影光軸に対して４５°の角度に保持される状態と、撮像素子３３（図３）の方向へ導くために撮影光束から退避した位置に保持される状態とを取り得る。
【００２０】
カメラ上部のグリップ部１ａ側には、撮影開始の起動スイッチとしてのシャッタボタン７と、撮影時の動作モードに応じてシャッタスピードやレンズ絞り値を設定するためのメイン操作ダイヤル８と、撮影系の上面動作モード設定ボタン１０が配置されている。これらの操作部材の操作結果の一部は、ＬＣＤ表示パネル９に表示される。シャッタボタン７は、第１ストロークでＳＷ１（図３の７ａ）がオンし、第２ストロークでＳＷ２（図３の７ｂ）がオンする構成となっている。また、上面動作モード設定ボタン１０は、シャッタボタン７の１回の押込みで連写になるか１コマのみの撮影となるかの設定や、セルフ撮影モードの設定等を行うものであり、ＬＣＤ表示パネル９にその設定状況が表示される。尚、このＬＣＤ表示パネル９に表示される内容については、図４を参照して後述する。
【００２１】
カメラ上部中央には、カメラ本体に対してポップアップするストロボユニット１１とフラッシュ取付け用のシュー溝１２とフラッシュ接点１３が設けられており、カメラ上部右よりには撮影モード設定ダイヤル１４が配置されている。またグリップ部１ａの反対側の側面には、開閉可能な外部端子蓋１５が設けられていて、この外部端子蓋１５を開けた内部には、外部インタフェースとしてビデオ信号出力用ジャック１６とＵＳＢ出力用コネクタ１７が納められている。
【００２２】
図２において、カメラ背面側には、上方にファインダ接眼窓１８が設けられ、更に背面中央付近には画像を表示可能なカラー液晶モニタ１９が設けられている。このカラー液晶モニタ１９の横に配置されたサブ操作ダイヤル２０は、メイン操作ダイヤル８の機能の補助的役割を担い、例えばカメラのＡＥモードでは自動露出装置により算出された適正露出値に対する露出補正量を設定するために使用される。また或は、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定するように使用される。また、このサブ操作ダイヤル２０は、カラー液晶モニタ１９に表示される撮影済み画像の表示選択にも用いられる。スピーカ２５は、カメラによって撮影された動画を再生する際に、音声を発する機能を有する。４３はカメラの動作を起動もしくは停止するためのメインスイッチである。クリーニング指示操作部材４４は、クリーニングモードを動作させるスイッチであり、ローパスフィルタ上に付着したゴミをふるい落とす動作を指示するためのものである。
【００２３】
図３は、本実施形態に係るデジタル一眼レフカメラの主要な電気的構成を示すブロック図である。尚、前述の図面と共通する部分は同じ記号で示している。
【００２４】
１００はカメラ本体に内蔵されたマイクロコンピュータの中央処理装置（以下、ＭＰＵ）である。ＭＰＵ１００は、カメラの動作制御を司るものであり、各要素に対して様々な処理や指示を実行する。１００ａはＭＰＵ１００に内蔵されたＥＥＰＲＯＭであり、時刻計測回路１０９の計時情報やその他の情報を不揮発に記憶している。ＲＯＭ１００ｂは、このＭＰＵ１００で実行されるプログラムや各種データを記憶している。ＲＡＭ１００ｃは、ＭＰＵ１００による制御動作時に各種データを一時的に記憶するワークエリアを提供している。またＭＰＵ１００には、ミラー駆動回路１０１、焦点検出回路１０２、シャッタ駆動回路１０３、映像信号処理回路１０４、スイッチセンス回路１０５、測光回路１０６が接続されている。また、液晶駆動回路１０７、バッテリチェック回路１０８、時刻計測回路１０９、電源供給回路１１０、圧電素子駆動回路１１１も接続されている。これらの回路はＭＰＵ１００の制御の下で動作する。
【００２５】
またＭＰＵ１００は、撮影レンズユニット内に配置されたレンズ制御回路２０１と、マウント接点２１を介して通信を行う。マウント接点２１は撮影レンズユニットが接続されるとＭＰＵ１００へ信号を送信する機能も備えている。これにより、レンズ制御回路２０１は、ＭＰＵ１００との間で通信を行い、撮影レンズユニット内の撮影レンズ２００及び絞り２０４の駆動を、ＡＦ駆動回路２０２及び絞り駆動回路２０３を介して行うことが可能となる。尚、本実施形態では、撮影レンズ２００を便宜上１枚の撮影レンズで示しているが、実際は多数のレンズ群により構成されている。ＡＦ駆動回路２０２は、例えばステッピングモータを有し、レンズ制御回路２０１の制御によって撮影レンズ２００内のフォーカスレンズ位置を変化させることにより、撮像素子３３に撮影光束の焦点を合わせるように調整する。絞り駆動回路２０３は、例えばオートアイリス等によって構成され、レンズ制御回路２０１によって絞り２０４を変化させ、光学的な絞り値を得るように構成されている。
【００２６】
メインミラー６は、撮影レンズ２００を通過する撮影光束をペンタプリズム２２へ導くとともに、その一部を透過させてサブミラー３０に導く。サブミラー３０は、透過された撮影光束を焦点検出センサユニット３１へ導く。ミラー駆動回路１０１は、メインミラー６を、ファインダ接眼窓１８により被写体像を観察可能とする位置と、撮影光束から待避する位置とへ駆動するためのものである。同時に、サブミラー３０を、焦点検出センサユニット３１へ撮影光束を導く位置と、撮影光束から待避する位置とへ駆動する。具体的には、例えばＤＣモータとギヤトレイン等を具備する。
【００２７】
焦点検出センサユニット３１は、結像面近傍に配置されたフィールドレンズ、反射ミラー及び、２次結像レンズ、絞り、複数のＣＣＤから成るラインセンサ等から構成され、周知の位相差方式で焦点を検出する。この焦点検出センサユニット３１から出力された信号は、焦点検出回路１０２へ供給され、被写体像信号に換算された後、ＭＰＵ１００へ送信される。ＭＰＵ１００は、この被写体像信号に基づいて、位相差検出法による焦点検出演算を行う。そして、デフォーカス量及びデフォーカス方向を求め、これに基づき、レンズ制御回路２０１及びＡＦ駆動回路２０２を介して、撮影レンズ２００内のフォーカスレンズを合焦位置まで駆動する。ペンタプリズム２２は、メインミラー６によって反射された撮影光束を正立正像に変換反射する光学部材である。使用者は、ファインダ光学系を介して、ファインダ接眼窓１８から被写体像を観察することができる。またペンタプリズム２２は、撮影光束の一部を測光センサ２３にも導く。測光回路１０６は、測光センサ２３の出力を得て、観察面上の各エリアの輝度信号に変換してＭＰＵ１００に出力する。これによりＭＰＵ１００は、その輝度信号から露出値を算出する。
【００２８】
機械的なフォーカルプレーンシャッタ３２は、ユーザがファインダ接眼窓１８により被写体像を観察している時には撮影光束を遮る。また撮像時にはレリーズ信号に応じて、不図示の先羽根群と後羽根群の走行する時間差により所望の露光時間を得るように構成されている。フォーカルプレーンシャッタ３２は、ＭＰＵ１００の指令を受けたシャッタ駆動回路１０３によって制御される。
【００２９】
撮像素子３３は、撮像デバイスであるＣＭＯＳが用いられ、この撮像デバイスには、ＣＣＤ型、ＣＭＯＳ型及びＣＩＤ型等様々な形態があり、何れの形態の撮像デバイスを採用してもよい。クランプ／ＣＤＳ（相関二重サンプリング）回路３４は、Ａ／Ｄ変換する前の基本的なアナログ処理を行うとともに、クランプレベルの変更も可能である。ＡＧＣ（自動利得調整装置）３５は、Ａ／Ｄ変換する前の基本的なアナログ処理を行うとともに、ＡＧＣ基本レベルの変更も可能である。Ａ／Ｄ変換器３６は、撮像素子３３のアナログ画像信号をデジタル画像信号に変換する。光学ローパスフィルタ４１０は、水晶からなる複屈折板及び位相板を複数枚貼り合わせて積層し、更に赤外カットフィルタを貼り合わせて構成している。積層型の圧電素子４３０は、ＭＰＵ１００に指令を受けた圧電素子駆動回路１１１により加振され、その振動を光学ローパスフィルタ４１０に伝えるように構成されている。４００は、光学ローパスフィルタ４１０、圧電素子４３０、撮像素子３３と後述する他の部品と共にユニット化された撮像ユニットであり、詳細の構成については後述する。
【００３０】
映像信号処理回路１０４は、デジタル化された画像信号（画像データ）に対してガンマ／ニー処理、フィルタ処理、モニタ表示用の情報合成処理等、ハードウエアによる画像処理全般を実行する。この映像信号処理回路１０４から出力されるモニタ表示用の画像データは、カラー液晶駆動回路１１２を介してカラー液晶モニタ１９に表示される。また映像信号処理回路１０４は、ＭＰＵ１００の指示により、メモリコントローラ３８を通じて、バッファメモリ４５に画像データを蓄積することも可能である。更に、映像信号処理回路１０４は、ＪＰＥＧ等の画像データ圧縮処理を行う機能も有している。連写撮影等のように連続して撮影が行われる場合は、一旦バッファメモリ４５に画像データを格納し、メモリコントローラ３８を通して未処理の画像データを順次読み出すことも可能である。これにより映像信号処理回路１０４は、Ａ／Ｄ変換器３６から入力されてくる画像データの速度に関わらず、画像処理や圧縮処理を順次行うことが可能となる。またメモリコントローラ３８は、外部インタフェース４０（図１におけるビデオ信号出力用ジャック１６及びＵＳＢ出力用コネクタ１７が相当する）から入力される画像データをメモリ３９に記憶する。また、メモリ３９に記憶されている画像データを外部インタフェース４０から出力することもできる。尚、メモリ３９は、カメラ本体に対して着脱可能なフラッシュメモリ等である。
【００３１】
スイッチセンス回路１０５は、各スイッチの操作状態に応じて入力信号をＭＰＵ１００に送信する。７ａは、レリーズボタン７の第１ストロークによりオンするスイッチＳＷ１である。７ｂは、レリーズボタン７の第２ストロークによりオンするスイッチＳＷ２である。スイッチＳＷ２がオンされると、撮影開始の指示がＭＰＵ１００に送信される。またスイッチセンス回路１０５には、メイン操作ダイヤル８、サブ操作ダイヤル２０、撮影モード設定ダイヤル１４、メインスイッチ４３、クリーニング指示操作部材４４が接続されている。
【００３２】
液晶駆動回路１０７は、ＭＰＵ１００の指示に従って、ＬＣＤ表示パネル９やファインダ内液晶表示装置４１を駆動する。バッテリチェック回路１０８は、ＭＰＵ１００からの信号に従って、所定時間バッテリチェックを行い、その検出出力をＭＰＵ１００へ送る。電源部４２は、カメラの各要素に対して、必要な電源を供給する。時刻計測回路１０９は、メインスイッチ４３がオフされて、次にオンされるまでの時間や日付を計測し、ＭＰＵ１００からの指令により、計測結果をＭＰＵ１００へ送信することができる。
【００３３】
［実施形態１］
この実施形態１に係る撮像装置は、画像信号を蓄積するためのバッファメモリ４５やメモリ３９を有し、動画の撮影時に被写体像の被写界深度が所定量変化した時のタイミングを記憶する（タイミング記憶）。そして、その記憶されたタイミングに基づいて、撮像素子３３から連続的に出力される画像信号をメモリに動画として所定時間記憶する（レックレビュー記憶手段）。その動画の撮影後に、そのメモリに記憶された画像信号を読み出してレックレビュー画像としてカラー液晶モニタ１９に表示する。以下、詳しく説明する。
【００３４】
図４は、本発明の実施形態１に係るデジタルカメラにおける動画の撮影後に、その撮影した動画を確認するための再生表示の（以下、レックレビュー）作成方法を示すフローチャートである。尚、この処理を実行するプログラムはＲＯＭ１００ｂに記憶されており、ＭＰＵ１００の制御の下に実行される。この処理は、カメラ１００のメインスイッチ４３がオンされ、メイン操作ダイヤル８、及びサブ操作ダイヤル２０によって動画撮影モードに設定されることにより開始される。
【００３５】
まずステップＳ１０１で、撮影した動画の記録を開始する。こうして動画撮影モードに入ると、クイックリターンミラー６がミラーアップされシャッタ３２が開かれて、撮像素子３３に光学像が結像される。この動画撮影モードでは、所定のフレームレートで撮像素子３３から出力されるアナログ信号をＡ／Ｄ変換器３６でデジタル信号に変換し、映像信号処理回路１０４で所定の画素補間処理や色変換処理を行ってバッファメモリ４５に書き込まれる。こうしてバッファメモリ４５に書き込まれた画像データは、再度読み出され、映像信号処理回路１０４で表示用の画像データに変換され、カラー液晶駆動回路１１２を介してカラー液晶モニタ１９に表示される。これにより、カラー液晶モニタ１９はライブビュー表示の状態（電子ビューファインダ動作）となる。
【００３６】
尚、このステップＳ１０１での動画の記録は、バッファメモリ４５に書き込まれた画像データを、メモリコントローラ３８を介してメモリ３９へ動画データとして書き込むことによりなされる。また動画データの記録が開始されると、音声信号処理回路１１３ではマイク２４から入力された音声データを符号化し、その符号化された音声データは、バッファメモリ４５へ一時的に保存される。こうして一時的に保存された動画符号化データと音声符号化データは、時間経過とともに増加するので、所定のファイルフォーマットに成形され、随時ＭＰＵ１００を介してメモリ３９に書き込まれる。
【００３７】
このようにしてステップＳ１０１で動画の記録が開始されるとステップＳ１０２へ進み、レックレビュー用の画像データを撮影画像とは別に記録するための処理を実行する。レックレビュー用の画像データは、前述したライブビュー表示用の画像データと同様の方法で作成される。詳しくは、動画撮影時にバッファメモリ４５に書き込まれた画像データを再度読み出し、映像信号処理回路１０４により表示用の画像データに変換し、バッファメモリ４５にレックレビュー用画像候補として記録する。このステップＳ１０２では、所定時間間隔毎に、所定時間分の画像データを、レックレビュー用の画像候補（動画）として記録する。尚、この場合、もし記録されたレックレビュー用の画像候補の画像データ量がバッファメモリ４５の容量以上になったときは、最先に記録された画像データから消去する。
【００３８】
ステップＳ１０２にて所定時間間隔での画像データ記録を行っている間、ステップＳ１０３で、撮影レンズ２００の絞り値の変化を検知する。この絞り値は、ユーザ自身が所定の操作によって絞り値を変更する場合と、カメラ自身が光量の変化等に対応するために自動で絞り値を変更する場合があるが、ステップＳ１０３ではこの両方とも検知している。この絞り値の変更は、ＭＰＵ１００からの信号を、絞り駆動回路２０３がレンズ制御回路２０１を介して受取って絞り２０４を駆動した駆動結果に基づいて行われる。よって、絞り値が変化したか否かの判定は、ＭＰＵ１００自身で行われる。ステップＳ１０３で絞り値が変化したことが検知されるとステップＳ１０４に進み、その絞り値の変化量を判定する。この絞り値の変化量の判定は、ステップＳ１０３の絞り値が変化したかどうかの判定と同じく、ＭＰＵ１００により行われる。そして、ここでは絞り値の変化量が所定値Ｘ以上かどうかをみる。この所定値Ｘは、ＥＥＰＲＯＭ１００ａに予め記録されているが、ユーザが任意に変更できるように構成しても良い。
【００３９】
そしてステップＳ１０４で、絞り値が所定値Ｘ以上変化したと判定するとステップＳ１０５に進む。尚、ステップＳ１０３，Ｓ１０４で判定が「ＮＯ」であればステップＳ１０８に進む。ステップＳ１０５では、絞り値が所定値Ｘ以上変化した時のタイミング（Ａ）を記録する。このタイミングは、撮影動画に関連付けされて記録され、後のレックレビュー用の画像データに利用される。このタイミングの記録はＭＰＵ１００によって行われる。
【００４０】
こうしてステップＳ１０５で、絞り変化のタイミングが記録されるとステップＳ１０６に進み、レックレビュー画像を記録しているバッファメモリ４５のレックレビューエリアの容量を調べる。これはレックレビュー画像を記録しているレックレビューエリアの残容量が、次のレックレビュー画像データを記憶できる容量であるかどうかを判定するものである。この容量検知はＭＰＵ１００が映像信号処理回路１０４を介してバッファメモリ４５を読み取ることで行われる。ステップＳ１０６で、レックレビューエリアの容量が十分に空いていると判断するとステップＳ１０７に進み、絞り値が変化したタイミングの画像データを、そのレックレビューエリアに記録する。ここでレックレビューエリアへの記録は、ＭＰＵ１００と映像信号処理回路１０４にて行われる。また、画像データの記録とともに、画像データに関連付けて、絞りが変化したタイミングの合焦位置のデータ、及び、絞り変化後の絞り値のデータも記録する。尚、絞りが変化したタイミングの画像データの記録は、絞りが変化した瞬間のみの画像データだけでなく、絞りが変化する前後所定時間の画像データを記録するように構成してもよい。
【００４１】
こうしてステップＳ１０７で、絞りが変化したタイミングの画像データがレックレビューエリアへ格納されるとステップＳ１０８へ進み、動画撮影が終了されるか否かの検知を行う。動画撮影の終了はユーザによって所定の操作がなされ、動画撮影の終了が選択される場合、またはバッテリー残量の低下等の要因によって、カメラ自身が動画撮影を終了する場合がある。ステップＳ１０８で動画撮影の終了が検知されると、動画撮影モードを終了する。またステップＳ１０８で撮影の終了が検知されない場合は、ステップＳ１０２へ戻り前述した処理を行う。
【００４２】
またステップＳ１０６で、バッファメモリ４５のレックレビューエリアの空き容量が十分でないと検知されるとステップＳ１２１へ進み、既にそのレックレビューエリアに記録されている画像データの一部を消去する。ここで消去される画像データの選択方法や優先度優先度については後に詳細を記述する。
【００４３】
尚、以上説明した処理により作成されたレックレビューの画像データは、撮影終了後、直ぐにバッファメモリ４５から読み出され、ＭＰＵ１００と映像信号処理回路１０４とカラー液晶駆動回路１１２を介して、カラー液晶モニタ１９に表示される。
【００４４】
以上説明したように本実施形態１によれば、動画撮影終了後、ユーザは絞り変化によって被写界深度が浅くなったシーンの合焦確認を容易に行えるようになった。
【００４５】
［実施形態２］
次に実施形態２について説明する。この実施形態２に係る撮像装置は、画像信号を蓄積するためのバッファメモリ４５やメモリ３９を有し、動画の撮影時に、被写体像の被写界深度が所定量以下の状況で特定のタイミング（合焦位置の変化、被写体の移動）を検知して記憶する（タイミング記憶）。そして、その記憶されたタイミングに基づいて、撮像素子３３から連続的に出力される画像信号をメモリに動画として所定時間記憶する（レックレビュー記憶手段）。その動画の撮影後に、そのメモリに記憶された画像信号を読み出してレックレビュー画像としてカラー液晶モニタ１９に表示する。以下、詳しく説明する。
【００４６】
図５は、本発明の実施形態２に係るデジタルカメラによるレックレビュー表示作成方法を示すフローチャートである。尚、この実施形態２に係るデジタルカメラの構成は、前述の実施形態１のデジタルカメラの構成と同じであるため、その説明を省略する。この処理は、カメラ１００のメインスイッチ４３がオンされ、メイン操作ダイヤル８、及びサブ操作ダイヤル２０によって所定の動画撮影モードに入ることにより開始される。
【００４７】
先ずステップＳ２０１で、動画の記録を開始する。動画撮影モードに入ると、クイックリターンミラー６がミラーアップされ、シャッタ３２が開かれ、撮像素子３３に光学像が結像する。動画撮影モードでは、所定のフレームレートで撮像素子３３から出力されるアナログ信号をＡ／Ｄ変換器３６でデジタル信号に変換し、映像信号処理回路１０４で所定の画素補間処理や色変換処理を行ってバッファメモリ４５に書き込まれる。バッファメモリ４５に書き込まれた画像データは、再度読み出され、映像信号処理回路１０４にて、表示用の画像データに変換され、カラー液晶駆動回路１１２を介してカラー液晶モニタ１９に表示される。これにより、カラー液晶モニタ１９はライブビュー表示の状態（電子ビューファインダ動作）となる。
【００４８】
ステップＳ２０１での動画データの記録は、バッファメモリ４５に書き込まれた画像データを、メモリコントローラ３８を介してメモリ３９へ動画データとして記録される。また、動画データの記録が開始されると音声信号処理回路１１３ではマイク２４から入力された音声データを符号化し、符号化された音声データはバッファメモリ４５へ一時保存される。一時保存された動画符号化データと、音声符号化データは時間経過とともに増加するので、所定のファイルフォーマットに成形され、随時ＭＰＵ１００を介してメモリ３９に書き込まれる。
【００４９】
ステップＳ２０１で動画データの記録が開始されると、ステップＳ２０２で示すように撮影レンズ２００の絞り値が所定値以下か否かを判定する。この絞り値は、ユーザ自身が撮影前に所定の操作によって所定値以下に設定された場合と、カメラ自身が光量の不足に対応するために自動で絞り値を所定値以下に設定する場合があるが、ステップＳ２０２ではこの両方とも検知している。この絞り値の検知はＭＰＵ１００で行われる。ステップＳ２０２で撮影レンズ２００の絞り値が所定値以下であると判定するとステップＳ２０３へ進みレックレビュー用の画像データを撮影画像とは別に記録する。このレックレビュー用の画像データは、前述したライブビュー表示用の画像データと同様の方法で作成される。詳しくは、動画撮影時にバッファメモリ４５に書き込まれた画像データを再度読み出し、映像信号処理回路１０４にて、表示用の画像データに変換し、バッファメモリ４５にレックレビュー用画像として記録する。ステップＳ２０３では、図４のステップＳ１０２と同様にして、撮影時間の所定時間間隔毎に所定時間の画像データ記録を行い、後のレックレビュー用に動画として使用できるよう記録する。一方ステップＳ２０２で、絞り値が所定値Ｙ以下であれば図４のステップＳ１０３へ進む。
【００５０】
ステップＳ２０３で、所定時間間隔での画像データの記録を行っている間、ステップＳ２０４で、合焦位置の変化を検知している。これはユーザの所定の操作よって被写体の合焦位置が変更され、再合焦されたタイミングを検知するように構成されている。ステップＳ２０４で、合焦位置が変化していないと判定されるとステップＳ２０８に進むが、合焦位置が変化したと判定されるとステップＳ２０５へ進み、合焦位置が変化した時のタイミングを記録する。このタイミングの記録は、撮影動画に関連付けされて記録され、後のレックレビュー用の画像データに利用される。このタイミング記録は、ＭＰＵ１００によって行われる。
【００５１】
ステップＳ２０５で、合焦位置の変化のタイミングが記録されるとステップＳ２０６へ進み、バッファメモリ４５のレックレビューエリアの空き容量を検知する。これは合焦位置が変化したタイミングの画像データをレックレビュー用画像として記録する前に、レックレビューエリアが一杯なってしまっていないかを確認するためである。この容量検知は、ＭＰＵ１００が映像信号処理回路１０４を介してバッファメモリ４５を読み取ることで行われる。ステップＳ２０６で、レックレビューエリアの容量が十分に空いていると検知されるとステップＳ２０７に進み、合焦位置が変化したタイミングの画像データを、そのレックレビューエリアに記録する。このレックレビューエリアへのレックレビュー画像の記録は、ＭＰＵ１００と映像信号処理回路１０４で行われる。また画像データの記録とともに画像データに関連付けて、合焦位置がどこからどこへに変更されたかの合焦位置のデータ、及び、合焦位置変化時の絞り値のデータも記録する。
【００５２】
尚、合焦位置が変化したタイミングの画像データの記録は、合焦位置が変化した瞬間のみの画像データだけでなく、合焦位置が変化する前後所定時間の画像データを記録するように構成してもよい。
【００５３】
ステップＳ２０７で、絞りが変化したタイミングの画像データがレックレビューエリアへ記録されるとステップＳ２０８へ進み、主被写体が移動したか否かを検知する。被写体の移動検知は、公知の動体予測技術と被写体検知技術とを用いて行われる。主被写体が移動した場合、公知の動体予測技術によって被写体が追尾され、再合焦が行われる。ステップＳ２０８で、主被写体が移動したと検知されるとステップＳ２０９へ進み、主被写体が移動した時のタイミングが記録される。このタイミングの記録は、撮影動画に関連付けされて記録され、後のレックレビュー用の画像データに利用される。このタイミング記録はＭＰＵ１００によって行われる。
【００５４】
ステップＳ２０９で、主被写体が移動した時のタイミングが記録されるとステップＳ２１０へ進み、レックレビューエリアの空き容量検知が行われる。これは合焦位置が変化したタイミングの画像データをレックレビュー用画像として記録する前に、レックレビューエリアが一杯なってしまっていないか、確認するためである。ステップＳ２１０で、レックレビューエリアの容量が十分に空いていると検知されるとステップＳ２１１に進んで、主被写体が移動したタイミングの画像データをレックレビューエリアに記録する。レックレビューエリアへの記録は、ＭＰＵ１００と映像信号処理回路１０４にて行われる。また、画像データの記録とともに、画像データに関連付けて、被写体が移動したタイミングの合焦位置のデータ、及び、被写体が移動したときの絞り値のデータも記録する。尚、被写体が移動したタイミングの画像データの記録は、被写体が移動した瞬間のみの画像データだけでなく、被写体が移動する前後所定時間の画像データを記録するように構成してもよい。
【００５５】
こうしてステップＳ２１１で、被写体が移動したタイミングの画像データがレックレビューエリアに記録されるとステップＳ２１２へ進み、動画撮影が終了されるか否かを判定する。動画撮影の終了はユーザによって所定の操作がなされ、動画撮影の終了が選択される場合、又はバッテリー残量の低下等の要因によって、カメラ自身が動画撮影を終了する場合がある。そしてステップＳ２１２で、動画撮影の終了が検知されると、動画撮影モードを終了する。
【００５６】
また、ステップＳ２０２で、絞り値が所定値以上であると検知されると、図４のフローチャートで示したステップＳ１０３へ移行するように構成する。またステップＳ２０４で、合焦位置の変化が検知されなかった場合はステップＳ２０８へ進み、前述の処理を行う。またステップＳ２０６にて、レックレビューエリアの空き容量が十分でないと検知されるとステップＳ２２１へ進み、既にレックレビューエリアに記録されている画像データの一部を消去する。消去される画像データの選択方法や優先度については後に詳細を記述する。またステップＳ２０８で、主被写体の移動が検知されなかった場合はステップＳ２１２へ進み、前述の処理を行う。またステップＳ２１０で、レックレビューエリアの空き容量が十分でないと検知されるとステップＳ２２２へ進み、既にレックレビューエリアに記録されている画像データの一部を消去する。消去される画像データの選択方法優先度については後に詳細を記述する。
【００５７】
尚、このフローチャートにて作成されたレックレビューの画像データは、撮影終了後すぐにレックレビューエリアとバッファメモリ４５から読み出される。そしてＭＰＵ１００と映像信号処理回路１０４とカラー液晶駆動回路１１２を介してカラー液晶モニタ１９に表示される。
【００５８】
以上説明したように本実施形態２によれば、ユーザは被写界深度が浅いシーンにおいて、合焦位置変化の前後、及び被写体の移動前後での合焦確認を容易に行えるようになった。
【００５９】
図６（Ａ）、図６（Ｂ）は、本発明の実施形態に係るレックレビュー画像の記録方法を説明するファイルの構成図である。
【００６０】
「Ａ」で示すファイルは、図４のフローチャートのステップＳ１０７で絞り変化タイミングで所定時間の間記録された画像データ、及び図５のフローチャートのステップＳ２０７で、合焦位置が変化したタイミングで所定時間の間記録された画像データを示す。更に、図５のフローチャートのステップＳ２１１で、被写体が移動したタイミングで所定時間の間、記録された画像データを示している。これ以降、「Ａ」のファイルを「レックレビュー画像」と称する。ここでは、記録された順に番号が割り当てられる。
【００６１】
図６（Ａ）は、レックレビュー画像で一杯になったレックレビューエリアに、次のレックレビュー画像を記録する際の処理を示している。レックレビューエリアがレックレビュー画像で一杯になってしまった場合、最も古いレックレビュー画像データを削除して、最新のレックレビュー画像データを記録する。
【００６２】
図６（Ｂ）は、レックレビュー画像データで一杯になったレックレビューエリアに、絞り変化タイミングでのレックレビュー画像データ６０１を記録する際の処理を示している。ここで各レックレビュー画像データには、それぞれ撮影時の絞り値の情報が併せて記録されている。
【００６３】
このようにレックレビューエリアが、レックレビュー画像データで一杯になってしまった場合、記録されているレックレビュー画像データの内、絞り値が一番小さい絞り側で撮影されているレックレビュー画像データ６０２を削除する。そして新しくレックレビュー画像データ６０１を記録する。尚このとき、書き込みを行うレックレビュー画像データの絞り値が、既に記録されているレックレビュー画像データと比べて一番小さい絞り値側にある場合は、そのレックレビュー画像データの書き込みを中止する。
【００６４】
図７（Ａ）〜（Ｆ）は、本実施形態におけるレックレビュー画像の表示方法を表した図である。
【００６５】
フローチャートの説明で前述した通り、レックレビュー画像データには、関連付けされて合焦位置データも記録されている。レックレビュー表示時にはこの合焦位置も合わせて表示することで、合焦位置の確認を行いやすくする。
【００６６】
図７（Ａ）と図７（Ｂ）は、図４のフローチャートで示した、絞り値が変化した場合の表示方法を説明する図である。
【００６７】
絞り位置が変化する前後を通して、合焦位置を矩形のマークで表示し、どこに合焦位置を合わせているか識別可能に表示している。
【００６８】
図７（Ｃ）と図７（Ｄ）は、図５のフローチャートで示した、合焦位置が変化した場合の表示方法を説明する図である。合焦位置の変化前と変化後とで、合焦位置を矩形のマークで表示し、どこからどこへに合焦位置を移動させているか識別可能に表示している。
【００６９】
図７（Ｅ）と図７（Ｆ）は、図５のフローチャートで示した、主被写体が移動した場合の表示方法を説明する図である。主被写体の移動前と移動後とで、合焦位置を矩形のマークで表示し、どこに合焦位置が合っているか識別可能に表示している。
【００７０】
（他の実施形態）
以上、本発明の実施形態について詳述したが、本発明は、複数の機器から構成されるシステムに適用しても良いし、また一つの機器からなる装置に適用しても良い。
【００７１】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００７２】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００７３】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７４】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７５】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００７６】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００７７】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００７８】
【図１】本発明の実施形態に係るデジタル一眼レフカメラの前面側より見た斜視図である。
【図２】本発明の実施形態に係るデジタル一眼レフカメラの背面側より見た斜視図である。
【図３】本実施形態に係るデジタル一眼レフカメラの主要な電気的構成を示すブロック図である。
【図４】本発明の実施形態１に係るデジタルカメラにおける動画の撮影後に、その撮影した動画を確認するための再生表示の作成方法を示すフローチャートである。
【図５】本発明の実施形態２に係るデジタルカメラによるレックレビュー表示作成方法を示すフローチャートである。
【図６】本発明の実施形態に係るレックレビュー画像の記録方法を説明するファイルの構成図である。
【図７】本実施形態におけるレックレビューの表示方法を表した図である。
【符号の説明】
【００７９】
２４    マイク
２５    スピーカ
３２    フォーカルプレーンシャッタ
３３    撮像素子
３４    クランプ／ＣＤＳ回路
３５    ＡＧＣ
３６    Ａ／Ｄ変換器
３８    メモリコントローラ
３９    メモリ
４２    電源部
４３    メインスイッチ
４４    クリーニング指示操作部材
４５    バッファメモリ
【図１】
2010109941.tif 000003
【図２】
2010109941.tif 000004
【図３】
2010109941.tif 000005
【図４】
2010109941.tif 000006
【図５】
2010109941.tif 000007
【図６】
2010109941.tif 000008
【図７】
2010109941.tif 000009